(57)【要約】【課題】扱室内を清掃、点検する際、フィードチェーンが邪魔になることなくメンテナンス性を向上させた脱穀機を提供する。【解決手段】前低後高状に傾斜して配置された挟扼レール（４）とフィードチェーン（５）で挟持搬送される穀稈を扱室（２）に内蔵する扱胴（６）で脱粒処理する脱穀機において、前記扱室（２）を扱胴（６）及び挟扼レール（４）を支持する上部枠体（Ｘ）と、フィードチェーン（５）が固定された下部枠体（Ｙ）とで構成し、上部枠体（Ｘ）を下部枠体（Ｙ）に上昇開き位置と下降閉じ位置とに上下揺動自在に連結し、該上部枠体（Ｘ）を上昇揺動すると一体で扱胴（６）と挟扼レール（４）が上昇するよう構成すると共に、前記フィードチェーン（５）のチェーンレール（４０）を前後に分割し、後側チェーンレール（４２）を前側を支点に下降回動自在に構成した。【選択図】　　　　図２
2004008168.tif 000002
【特許請求の範囲】
【請求項１】
前低後高状に傾斜して配置された挟扼レール（４）とフィードチェーン（５）で挟持搬送される穀稈を扱室（２）に内蔵する扱胴（６）で脱粒処理する脱穀機において、前記扱室（２）を扱胴（６）及び挟扼レール（４）を支持する上部枠体（Ｘ）と、フィードチェーン（５）が固定された下部枠体（Ｙ）とで構成し、上部枠体（Ｘ）を下部枠体（Ｙ）に上昇開き位置と下降閉じ位置とに上下揺動自在に連結し、該上部枠体（Ｘ）を上昇揺動すると一体で扱胴（６）と挟扼レール（４）が上昇するよう構成すると共に、前記フィードチェーン（５）のチェーンレール（４０）を前後に分割し、後側チェーンレール（４２）を前側を支点に下降回動自在に構成したことを特徴とする脱穀機。
【請求項２】
チェーンレール（４０）を扱室（２）前端付近から前後に分割したことを特徴とする前記請求項１記載の脱穀機。
【請求項３】
後側チェーンレール（４２）を略水平位置まで下降回動自在に構成したことを特徴とする前記請求項１または２記載の脱穀機。
【発明の詳細な説明】
【０００１】
【発明の属する技術分野】
本発明は、コンバイン、及びハーベスタ等に搭載可能な脱穀機に関する。
【０００２】
【従来の技術】
従来、例えば特開平８−３０８３６６号公報に示されるように、扱室を扱胴を支持する上部枠体と下部枠体とで構成し、上部枠体を下部枠体に上昇開き位置と下降閉じ位置とに上下揺動自在に連結したものがあった。
【０００３】
【発明が解決しようとする課題】
上記脱穀機は、扱室内を清掃、点検する際、上部枠体を上昇揺動させることにより扱室を開けられるものであるが、後側ほど高くなるよう傾斜して取付けられたフィードチェーンが下部枠体側にあるため、特に扱室後側を清掃、点検する場合にフィードチェーンが邪魔になるという課題があった。
【０００４】
【課題を解決するための手段】
本発明は、上記の如き実情に鑑みこれらの課題を解決することを目的として創作されたものであって、前低後高状に傾斜して配置された挟扼レールとフィードチェーンで挟持搬送される穀稈を扱室に内蔵する扱胴で脱粒処理する脱穀機において、前記扱室を扱胴及び挟扼レールを支持する上部枠体と、フィードチェーンが固定された下部枠体とで構成し、上部枠体を下部枠体に上昇開き位置と下降閉じ位置とに上下揺動自在に連結し、該上部枠体を上昇揺動すると一体で扱胴と挟扼レールが上昇するよう構成すると共に、前記フィードチェーンのチェーンレールを前後に分割し、後側チェーンレールを前側を支点に下降回動自在に構成したことを特徴としている。
【０００５】
また、チェーンレールを扱室前端付近から前後に分割したことを特徴としている。
【０００６】
更に、後側チェーンレールを略水平位置まで下降回動自在に構成したことを特徴としている。
【０００７】
【発明の実施の形態】
本発明の実施の形態を図面に基づいて説明する。
図１〜３に示されるように、１はコンバイン、及びハーベスタ等に搭載可能な脱穀機であり、扱室２の扱口３に沿って挟扼レール４とフィードチェーン５を前後方向に配設し、両者で挟持搬送される穀稈を扱室２に内蔵される扱胴６の回動により脱粒処理する。扱室２の後方側方には処理胴１０と処理網１１により形成される処理室を連通し、扱室２下方には前後に配置された送風ファン１２と吸引排塵ファン１３により選別風路を形成している。選別風路中には揺動選別体１４を前後揺動可能に装架すると共に、受網８，９、及び、処理網１１を漏下した脱穀物を送風ファン１２の風選別と揺動選別体１４の篩選別により選別し、籾は一番ラセン１５を介して穀粒タンク１７に収容し、未選別物は二番ラセン１６を介して揺動選別体１４上に還元し、藁屑は吸引排塵ファン１３により機外に吸引排出する。扱室出口側板２０の後方には穀粒を回収する４番口２１、及び、４番漏斗２２を設け、脱粒処理された排稈はフィードチェーン５から排稈搬送チェーン２３へ受け継ぎ搬送され、後方の排稈処理装置であるカッター２４により切断処理されるように構成している。
【０００８】
次に、前記扱室構造について説明する。
前記扱室２は、該扱室２の上部を覆う天板１８の両側に入口側板１９と出口側板２０を所定間隔を存して固着する上部枠体Ｘと、扱胴の下部側に位置する下部枠体Ｙとから形成されている。前記上部枠体Ｘには両側板１９，２０を貫通する扱胴軸２５を介して扱胴６が回転自在に軸支されていると共に、その扱口３側に前記挟扼レール４が取付けられている。また、前記下部枠体Ｙの扱口３側にはフィードチェーン５が固定されると共に、下部枠体Ｙの上部で扱口３と反対側には、上部枠体Ｘの揺動基端部を軸支する支点軸２６が軸架されており、上記支点軸２６を中心として上部枠体Ｘを、扱胴６及び挟扼レール４と共に一体で、上昇開き位置と下降閉じ位置とに上下揺動自在に連結している。２７は上部枠体Ｘを下降閉じ位置で固定するロックの解除レバー、２８は上部枠体Ｘの上昇揺動を補助するガススプリングである。
【０００９】
また、下部枠体Ｙには受網が着脱可能に内設されており、受網は扱口３側でかつ扱口板７と一体の扱口受網８と、扱口３とは反対側の奥側受網９で構成されている。そして、上部枠体Ｘを上昇揺動させて開いた扱室２から扱口受網８、及び奥側受網９を着脱できる構成となっている。
【００１０】
次に、本発明に係るフィードチェーン支持部構造について説明する。
フィードチェーン５は送風ファン１２の駆動軸２９より伝動される駆動スプロケット３０とチェーンレール４０の前後に回転自在に取付けられた従動スプロケット３１，３２と、テンションプーリー３３とに掛け渡されており、側面視で前側が低く、後側ほど高くなるよう傾斜させて配設されている。
【００１１】
前記チェーンレール４０は扱室２前端付近から前後２分割され、前側チェーンレール４１と後側チェーンレール４２により構成されており、後側チェーンレール４２は前側チェーンレール４１後端に設けられた回動軸４３を中心に穀稈を挟持搬送する作業位置と、水平位置まで下降回動したメンテナンス位置とに切替固定自在に構成されている。
即ち、後側チェーンレール４２のメンテナンス位置への切り替えは、後側チェーンレール４２を作業位置に固定している固定部材４４を外し、続いてフィードチェーン５のテンションを緩めて後側チェーンレール４２をストッパー４５に接当するまで下降回動することにより容易に行える構成となっている。
【００１２】
以上の構成により、扱室２内を清掃、点検する際は、先ずロック解除レバー２７を操作してロックを外し、上部枠体Ｘを上昇揺動させて扱室２を開放する。続いてフィードチェーン５のテンションを緩めてフィードチェーン５の後側チェーンレール４２を前側チェーンレール４１後端に設けられた回動軸４３を中心に下降回動させる。上部枠体Ｘを上昇揺動させると挟扼レール４と扱胴６が一体で上昇するので、受網８，９の上方が広く開放され受網８，９の清掃、点検を容易に行うことができる。その時、後側チェーンレール４２を下降回動し、前側チェーンレール４１後端高さまで下げるようにしたのでフィードチェーン５が邪魔にならず、受網８，９の清掃、点検を容易に行うことができる。
【００１３】
また、扱口受網８には扱口板７が一体的に固着され、扱口受網８と扱口板７を一緒に取り外すことができるので、扱口板７を下部枠体Ｙに固定したままのものに比べて扱口受網８、及び、奥側受網９の取り外しを容易に行うことができると共に、揺動選別体１４の清掃、点検を容易に行うことができる。
【００１４】
尚、本実施形態ではフィードチェーン５の後側チェーンレール４２と従動スプロケット３２を一体で下降回動させたが、後側チェーンレール４２と従動スプロケット３２を別体構成とし、該従動スプロケット３２を残したまま後側チェーンレール４２だけを下降回動させて、フィードチェーン５を緩ませて高さを下げるようにしてもよい。
【００１５】
【発明の効果】
本発明は、前低後高状に傾斜して配置された挟扼レール４とフィードチェーン５で挟持搬送される穀稈を扱室２に内蔵する扱胴６で脱粒処理する脱穀機において、前記扱室２を扱胴６及び挟扼レール４を支持する上部枠体Ｘと、フィードチェーン５が固定された下部枠体Ｙとで構成し、上部枠体Ｘを下部枠体Ｙに上昇開き位置と下降閉じ位置とに上下揺動自在に連結し、該上部枠体Ｘを上昇揺動すると一体で扱胴６と挟扼レール４が上昇するよう構成すると共に、前記フィードチェーン５のチェーンレール４０を前後に分割し、後側チェーンレール４２を前側を支点に下降回動自在に構成したので、扱室２の清掃、点検の際にフィードチェーン５が邪魔にならずメンテナンス性が向上する。
また、チェーンレール５を前後に分割し、後側チェーンレール４２のみ下降回動するように構成したから、チェーンレール４０全体を扱室側面から退避させるものに比較して構造が簡単になり、コスト・剛性等の面で有利になる。
【００１６】
また、チェーンレール４０を扱室２前端付近から前後に分割したので、扱室　側面の全幅に対向するフィードチェーンの位置が下がりメンテナンス性が向上す
る。
【００１７】
更に、後側チェーンレール４２を略水平位置まで下降回動自在に構成したので、フィードチェーンを比較的メンテナンスがし易い前側位置まで下げることができメンテナンス性が向上すると共に、フィードチェーン５が大きく垂れ下がるのを防止することができる。
【図面の簡単な説明】
【図１】本発明の実施形態における脱穀機の左後方からの斜視図である。
【図２】同上左側面図である。
【図３】同上正面図である。
【符号の説明】
２　　扱室
４　　挟扼レール
５　　フィードチェーン
６　　扱胴
４０　チェーンレール
４１　前側チェーンレール
４２　後側チェーンレール
４３　回動軸
Ｘ　上部枠体
Ｙ　下部枠体
【図１】
2004008168.tif 000003
【図２】
2004008168.tif 000004
【図３】
2004008168.tif 000005